(57)【要約】      （修正有）【課題】蓄光釣具を部分的に蓄光することを容易にする蓄光器を提供する。【解決手段】蓄光釣具を蓄光させる蓄光器１０は、光の投射口１Ａを有する本体１と、本体１に内蔵されており、投射口１Ａから光を投射するように設けられたＬＥＤライト３と、投射口１Ａに、ＬＥＤライト３が発した光が通過するように設けられており、ＬＥＤライト３が発した光の拡がりを規制する筒状部材４とを備えている。【選択図】図１
0003201337.tif 000002
【実用新案登録請求の範囲】
【請求項１】
蓄光釣具を蓄光させる蓄光器であって、
光の投射口を有する本体と、
前記本体に内蔵されており、前記投射口から光を投射するように設けられたＬＥＤライトと、
前記投射口に、前記ＬＥＤライトが発した光が通過するように設けられており、前記ＬＥＤライトが発した光の拡がりを規制する筒状部材とを備えた
ことを特徴とする蓄光器。
【請求項２】
請求項１記載の蓄光器において、
前記本体における前記投射口の周囲に、前記本体から光の投射方向に突出するように設けられた突起部を備えた
ことを特徴とする蓄光器。
【請求項３】
請求項２記載の蓄光器において、
前記突起部は、前記筒状部材の径方向における両側に配置された２個の突起からなる
ことを特徴とする蓄光器。
【考案の詳細な説明】
【技術分野】
【０００１】
本考案は、夜釣りを中心に用いられるワーム等の蓄光釣具に対して、光を照射し、効率良く蓄光させる蓄光器に関するものである。
【背景技術】
【０００２】
従来から、ワーム等の蓄光釣具に含まれる蓄光剤を励起し蓄光させるには、懐中電灯等の照明器具や、キセノン放電管を用いたフラッシュ式蓄光器などの器具が一般的に使われていた。
【０００３】
特許文献１では、夜釣り等において頻繁となる蓄光作業に適した実用性の高い蓄光器として、紫外線ＬＥＤおよび電池が中空部を有する透明ケース内に収納されており、紫外線ＬＥＤの光を中空部内に照射する構成を開示している。この蓄光器は、蓄光釣具を中空部に挿入する人為的動作に連動し、紫外線ＬＥＤを点灯・消灯させる機能を備えている。
【先行技術文献】
【特許文献】
【０００４】
【特許文献１】特開２０１０−１７８６６５号公報
【考案の概要】
【考案が解決しようとする課題】
【０００５】
従来の器具や、あるいは、特許文献１の蓄光器は、蓄光釣具の全体を蓄光することは比較的容易であるといえる。ところが、実際の釣りの現場では、例えば、蓄光ワームの眼の部分だけ蓄光したい場合や、蓄光ワームの輪郭のみを蓄光したい場合など、蓄光釣具を部分的に蓄光したい場合がある。ところが、従来の蓄光器では、蓄光釣具を部分的に蓄光することは、困難である。
【０００６】
本考案は、かかる点に鑑みてなされたものであり、その目的は、蓄光器において、蓄光釣具を部分的に蓄光することを容易にすることにある。
【課題を解決するための手段】
【０００７】
本考案の一態様では、蓄光釣具を蓄光させる蓄光器は、光の投射口を有する本体と、前記本体に内蔵されており、前記投射口から光を投射するように設けられたＬＥＤライトと、前記投射口に、前記ＬＥＤライトが発した光が通過するように設けられており、前記ＬＥＤライトが発した光の拡がりを規制する筒状部材とを備える。
【０００８】
これによると、光の投射口に設けられた筒状部材によって、ＬＥＤライトが発した光の拡がりが規制されるため、蓄光器から光が投射される範囲が狭く限定される。このため、例えば蓄光ワームの眼の部分などを部分的に蓄光したい場合に、作業が容易になる。
【０００９】
また、上の態様の蓄光器は、前記本体における前記投射口の周囲に、前記本体から光の投射方向に突出するように設けられた突起部を備えてもよい。
【００１０】
これにより、利用者は、突起部の先端を蓄光釣具に当接させることによって、より正確に、所望の部分を蓄光させることができる。また、突起部の先端を蓄光釣具の表面に沿ってずらしつつ蓄光することによって、ライン状に、容易に蓄光することができる。
【００１１】
さらに、上の態様の蓄光器において、前記突起部は、前記筒状部材の径方向における両側に配置された２個の突起からなるとしてもよい。
【００１２】
これにより、利用者がいずれの手を用いても、突起部の先端を当接させて蓄光することが容易になる。
【考案の効果】
【００１３】
本考案によれば、蓄光器から光が投射される範囲が狭く限定されるので、例えば蓄光ワームの眼の部分などを部分的に蓄光したい場合に、作業が容易になる。
【図面の簡単な説明】
【００１４】
【図１】蓄光器の一例の外観図
【図２】図１の蓄光器の内部構造の概略図
【考案を実施するための形態】
【００１５】
以下、本考案の実施形態を、図面に基づいて詳細に説明する。
【００１６】
図１は実施形態に係る蓄光器１０の一例の外観図であり、図２は図１の蓄光器１０の内部構造の概略を示す図である。図１に示すように、蓄光器１０は、光を外部に投射するための投射口１Ａを有する本体１を備えている。本体１はここでは、平面形状が流線形になっており、上蓋部材１１と下蓋部材１２とを嵌め合わせることによって構成されている。図２は、上蓋部材１１を外した状態を模式的に示している。本体１には、ＬＥＤ(Light Emitting diode)ライト３（図１では破線で図示している）が内蔵されており、ＬＥＤライト３は、投射口１Ａから光を投射するように設けられている。蓄光器１０から投射される光は紫外線を含んでおり、蓄光釣具を効果的に蓄光させることができる。
【００１７】
本体１の表面に、ＬＥＤライト３のＯＮ／ＯＦＦを制御すためのスイッチ２が設けられている。スイッチ２を押すと、ＬＥＤライト３が点灯し、投射口１Ａを介して蓄光器１０の外部に光が投射される。スイッチ２を離すと、ＬＥＤライト３が消灯する。図２に示すように、蓄光器１０には、電池１３（ここではボタン形状のリチウム電池とする）が内蔵されている。そして、ＬＥＤライト３の一方の配線３ａが電池１３の一方の極に接しており、スイッチ２の下に、ＬＥＤライト３の他方の配線３ｂに電気的に接続された金属片１４が配置されており、スイッチ２を押すと、金属片１４が電池１３の他方の極に当たるように構成されている。
【００１８】
図１および図２の蓄光器１０は、例えば、全長が数センチ程度のサイズであり、片手で容易に持つことができるハンディータイプである。利用者は、このような小型の蓄光器１０を用いて、スイッチ２の操作によりＬＥＤライト３をＯＮ／ＯＦＦさせることによって、蓄光釣具への蓄光作業を容易に行うことができる。
【００１９】
また、本体１の投射口１Ａには、筒状部材４が、ＬＥＤライト３が発した光が通過するように設けられている。筒状部材４は、ＬＥＤライト３が発した光の拡がりを規制するものであり、ここでは、円筒形であり、例えば、青色等の有色の樹脂によって成形されている。筒状部材４を設けたことによって、ＬＥＤライト３が発した光の拡がりが規制されるため、蓄光器１０から光が投射される範囲は、狭く限定される。このため、例えば蓄光ワームの眼の部分などを部分的に蓄光したい場合に、作業が容易になる。
【００２０】
なお、ここでは、筒状部材４は円筒形であり、断面形状が円形であるものとしたが、これに限られるものではなく、例えば、断面形状が六角形などの多角形や、楕円形などであってもよい。また、例えば、内周面の断面形状が円形で、外周面の断面形状が正方形、というように、内周面と外周面の断面形状が異なっていてもよい。また、筒状部材４の材料は、有色の樹脂に限られるものではなく、ＬＥＤライト３が発した光の拡がりを規制できるものであればよい。
【００２１】
さらに、本体１における投射口１Ａの周囲には、突起部５が設けられている。突起部５はここでは、筒状部材４の径方向における両側に配置された２個の突起５ａ，５ｂからなっている。突起５ａ，５ｂは、本体１から、筒状部材４の軸方向に突出するように、言い換えると、ＬＥＤライト３の光が投射される方向に突出するように、設けられている。利用者は、突起部５の先端を蓄光釣具に当接させてからスイッチ２を押すことによって、より正確に、所望の部分を蓄光させることができる。また、突起部５の先端を蓄光釣具の表面に沿ってずらしつつ蓄光することによって、ライン状に、容易に蓄光することができる。例えば、蓄光ワームの輪郭のみを蓄光したい場合などに、便利である。そして、２個の突起５ａ，５ｂが筒状部材４の両側に配置されているため、利用者は、いずれの手を用いても、突起部５を蓄光釣具に当接させ、容易に蓄光することができる。さらに、突起５ａ，５ｂが対称性を有しているため、蓄光器１０のデザイン性も優れている。
【００２２】
なお、ここでは、突起部５は、筒状部材４の両側に配置された２個の突起５ａ，５ｂからなるものとしたが、これに限られるものではない。例えば、１個の突起であってもよい。
【符号の説明】
【００２３】
１  本体
１Ａ  投射口
３  ＬＥＤライト
４  筒状部材
５  突起部
５ａ，５ｂ  突起
１０  蓄光器
【図１】
0003201337.tif 000003
【図２】
0003201337.tif 000004